(57)【要約】      （修正有）【課題】シルクスクリーン印刷によって導電性ポリマーの導体トラックを形成する際に、隣接する導体トラックの間の短絡を防止することのできる集積回路カードの製造方法を提供する。【解決手段】導電性ポリマーの導体トラックを形成する際に、スクレーパを少なくとも１つの基準方向沿いにスクリーン上を移動させ、前記トラックが彎曲し、前記基準方向に対して９０°以外の角度を以て傾斜するようにする。これにより、基準方向に実質的に等しい方向にトラックセグメントを広げるようなエスケープ長さ部を提供するので、流動体状の導電性ポリマーは、エスケープ長さ部に導かれ、これにより、隣の導体トラックに向かって行くようなフラッシュの形成を回避できる。【選択図】図２
2007201483.tif 000002
【特許請求の範囲】
【請求項１】
導電性ポリマーの導体トラック（２）を形成する方法において、
スクレーパを少なくとも１つの基準方向沿いにスクリーン上を移動させ、前記トラックが彎曲し、前記基準方向に対して９０°以外の角度を以て傾斜するようにした方法。
【請求項２】
前記トラックが曲がりくねった経路に沿って延設されている請求項１に記載の方法。
【請求項３】
導電性ポリマーの導体トラック（２）を形成する方法において、
スクレーパを少なくとも１つの基準方向沿いにスクリーン上を移動させ、前記トラックが、前記基準方向に対して異なる角度の長手の方向を有した一連の複数の部分から成る曲がりくねった多角形状の経路に沿って延設されるようにした方法。
【請求項４】
前記トラックは、その実質的全長にわたって前記基準方向に対して９０°以外の角度で傾いている請求項１〜３の何れか１項に記載の方法。
【請求項５】
前記トラックは、パッドを有した集積回路への接続のために、隣接するトラック間に所定の間隔を有しており、前記パッドは、前記隣接する２つのトラック間の間隔よりも実質的に広い間隔を前記基準方向に有している請求項１〜４の何れか１項に記載の方法。
【請求項６】
導電性ポリマーより成る導体トラックであって、該トラックが彎曲している導体トラック。
【請求項７】
前記トラックが曲がりくねっている請求項６に記載の導体トラック。
【請求項８】
導電性ポリマーより成る導体トラックであって、該トラックは、曲がりくねっており、かつ、基準方向に関して９０°以外の角度で傾斜した長手の方向を有した複数の部分から成る導体トラック。
【請求項９】
請求項６〜８の何れか１項に記載の複数の導体トラックを隣接させて設けた集積回路。
【発明の詳細な説明】
【技術分野】
【０００１】
本発明は、導電性ポリマーから形成される導体トラックを含む集積回路カードに関する。
【背景技術】
【０００２】
導電性ポリマーの導体トラックを含むプリント回路カードは、今日よく知られている。公知の方法において、其のようなカードは、プラスチック材料のカードの上に集積回路を配置するステップと、集積回路上面とカード上面とが面一になるように高温パンチによってカード内に集積回路を押圧するステップと、導電性領域と該導電性領域を集積回路のパッドに連結する導体トラックとを形成するようにシルクスクリーン印刷によって導電性ポリマーを付着形成するステップ、とを連続的に実施することによって形成される。
【０００３】
公知のように、シルクスクリーン印刷によって導電性ポリマーを付着形成するために、スクリーンが使用され、該スクリーンは、形成されるべき導体トラックに対応する外形を画定するために、流動体が通り抜けることができる透過ラインに加えて、流動体密的に形成される。導体トラックの形成のために、スクリーンが、プラスチック材料のカードの上に配置され、流動体状の導電性ポリマーが、スクリーンの上に配置され、スクレーパが、余分な導電性ポリマーを取り除きながら、流動体状の導電性ボリマーが透過ラインを占有できるようにスクリーン上を移動される。スクレーパは、『基準』方向として以下に言及される方向に移動される。スクレーパは、一般的に基準方向に垂直に延びる。
【０００４】
【特許文献１】米国特許第５４９３９６９号明細書
【発明の開示】
【発明が解決しようとする課題】
【０００５】
シルクスクリーン印刷によって導電性ポリマーの導体トラックを形成するとき、出来上がる導体トラックは、隣接する導体トラックの間の短絡のために、しばしば欠点を有する、ということが留意されるべきである。
【０００６】
顕微鏡分析は、短絡が、スクリーンの下に浸透し透過ラインを越えて延びて隣の導体トラックまで進行ずる導電性ポリマーによって形成されるフラッシュの結果である、ということを明らかにした。
【０００７】
この問題を回避するために、文献US-A-5 493 969は、トラック方向に対して９０°以外の角度でスクレーパを置くことを提案している。導電性ポリマーは、そこから離れる代わりに、シルクスクリーンを通る透過ラインの縁部に沿って延びる傾向にある。それにもかかわらず、導体トラックは、角度を有した経路に従う。領域を形成するコーナー部が存在しており、該領域には、導電性ポリマーが集積し、これにより、対を成す隣り合う導体ラインの間の短絡を形成する導電性スポットが形成され易い。
【課題を解決するための手段】
【０００８】
本発明に従い、導体トラックは、曲がった経路に従うように形成される。
其のような状態の下で得られるフラッシュは、スクレーパの移動の方向にかかわらず、曲がりくねった経路に従う導体トラックの最小の大きさとなる、ということがわかった。
【０００９】
利用可能なスペースのために、基準方向に実質的に垂直なトラックセグメントを形成する必要があるとき、本発明は、基準方向に実質的に等しい方向にトラックセグメントを広げるようなエスケープ長さ部を有益的に提供する。従って、流動体状の導電性ポリマーは、エスケープ長さ部に導かれ、これにより、隣の導体トラックに向かって行くようなフラッシュの形成を回避できる。
【００１０】
本発明によれば、導電性ポリマーの導体トラックを形成する方法において、スクレーパを少なくとも１つの基準方向沿いにスクリーン上を移動させ、前記トラックが彎曲し、前記基準方向に対して９０°以外の角度を以て傾斜するようにした方法が提供される。
【００１１】
更に、本発明によれば、導電性ポリマーの導体トラックを形成する方法において、スクレーパを少なくとも１つの基準方向沿いにスクリーン上を移動させ、前記トラックが、前記基準方向に対して異なる角度の長手の方向を有した一連の複数の部分から成る曲がりくねった多角形状の経路に沿って延設されるようにした方法が提供される。
【００１２】
更に、本発明によれば、導電性ポリマーより成る導体トラックであって、該トラックが彎曲している導体トラックが提供される。
【００１３】
更に、本発明によれば、導電性ポリマーより成る導体トラックであって、該トラックは、曲がりくねっており、かつ、基準方向に関して９０°以外の角度で傾斜した長手の方向を有した複数の部分から成る導体トラックが提供される。
【００１４】
更に本発明によれば、上記の導体トラックを隣接させて設けた集積回路が提供される。
【発明を実施するための最良の形態】
【００１５】
本発明の他の特徴や利点は、図面を参照して与えられる本発明の非制限的な好適実施態様の以下の記載において現出する。
【００１６】
図１の破線は、シルクスクリーンにおける２つの隣接するエスケープラインの経路を示し、太い矢印１０は、スクレーパの移動方向を示す。出来上がった導体トラック２．１及び２．２は、隣接する導体トラックに向かって延びるフラッシュ（flash）３、４を形成する曲がりくねった縁部（連続線で描かれた）を有することが理解されよう。図示例において、フラッシュ４は、隣接する導体トラック２．２に至るような大きさを有し、導体トラック２．１及び２．２の間には短絡部（short circuit）が形成される。
【００１７】
図２は、本発明に係る導体トラックパターンの一例を示す。図２から理解され得るように、集積回路７のパッドにコンタクト領域５を連結する導体トラック２は、曲線経路に従っている。該曲線経路はその実質的全長にわたって、スクレーパの移動方向、すなわち、太い矢印１０で再度示されたような『基準』の方向に対して９０°以外の角度を形成している。
【００１８】
集積回路のパッドの間の間隔に関係する大きさのために、２つの導体トラックは、基準方向に実質的に垂直に延びる対応するトラックセグメント８を含む。本発明の有益的な態様に従い、其のようなトラックセグメント８は、基準方向と実質的に同じである所定方向にトラックセグメント８を延ばしているエスケープ長さ部９を含む。図示例において、エスケープ長さ部９は、導体トラック２と一体の部分であり、集積回路のパッドとの接続部を形成している。斯かる構成において、基準方向の集積回路７のパッド間の間隔は、２つの隣接する導体トラック２の間の間隔よりも相当大きく、従って、もしスクレーパの移動方向におけるエスケープ長さ部の端部にフラッシュが形成されても、フラッシュは、２つの対向するパッド６の間の寸法よりも小さな大きさを有し、これにより、短絡の危険はない、ということが理解されよう。
【００１９】
当然ながら、本発明は、既述の実施態様に限定されないし、それに対して、本発明の範囲を越えることなく、様々な変更実施態様を加えることができる。
【００２０】
本発明は、曲がった経路に従う導体トラックについて説明されたが、曲がりくねったり多角形である経路を用いることができ、該経路は、基準方向に対して９０°ではない角度である長手方向を有する連続的な直線セグメントから形成される。
【００２１】
本発明は、唯一の基準方向に関して図示されているが、本発明の導体トラックは、複数の可能な基準方向に関係することができる。図２に示される実施態様において、特に無限の数の可能な基準方向が存在する。
【図面の簡単な説明】
【００２２】
【図１】シルクスクリーンのエスケープラインがスクレーパ移動方向に垂直に延びるときに得られる導体トラックの２つの長さ部の顕微鏡的な図である。
【図２】本発明に係る導体トラックのパターンの拡大図である。
【符号の説明】
【００２３】
２．１    導体トラック
２．２    導体トラック
３    フラッシュ
４    フラッシュ
５    コンタクト領域
６    パッド
７    集積回路
８    トラックセグメント
９    エスケープ長さ
１０    スクレーパの移動方向（基準方向）
【図１】
2007201483.tif 000003
【図２】
2007201483.tif 000004